(57)【要約】【課題】コンタクトスプリングの板ばね部の変形を確実に阻止できるだけでなく、窪み空間に由来する空洞共振の発生をも阻止することがことができるコンデンサマイクロホンの提供。【解決手段】ＦＥＴ１７を搭載するプリント基板１６と、該プリント基板１６を位置固定するカプラー１９とを少なくとも備えるマイクロホン本体部１２と、ＦＥＴ１７のゲート端子１７ｂがコンタクトスプリング１８を介して電気的に接続される固定極３６を備え、カプラー１９を介してマイクロホン本体部１２に着脱自在に螺合配置されるユニット部３２とで構成されるコンデンサマイクロホン１１において、カプラー１９とプリント基板１６とで仕切られてＦＥＴ１７の周辺領域に形成される窪み空間２２内には、コンタクトスプリング１８における板ばね部１８ｂの横幅方向での動きを規制する絶縁性変形阻止体２３を配置した。【選択図】図１
2008219629.tif 000002
【特許請求の範囲】
【請求項１】
電界効果トランジスタをインピーダンス変換器として搭載するプリント基板と、該プリント基板を位置固定するカプラーとを少なくとも備えるマイクロホン本体部と、前記インピーダンス変換器から引き出された入力側端子がコンタクトスプリングを介して電気的に接続される固定極を備え、前記カプラーを介して前記マイクロホン本体部に着脱自在に螺合配置されるユニット部とで構成されるコンデンサマイクロホンにおいて、
前記カプラーと前記プリント基板とで仕切られて前記電界効果トランジスタの周辺領域に形成される前記マイクロホン本体部の窪み空間内には、前記コンタクトスプリングにおける板ばね部の横幅方向での動きを規制する絶縁性変形阻止体を配置したことを特徴とするコンデンサマイクロホン。
【請求項２】
前記絶縁性変形阻止体は、コンタクトスプリングの前記板ばね部の撓曲を許し、かつ、外力による変形の阻止する障壁部を有し、該障壁部を介してマイクロホン本体部の前記窪み空間の閉塞を自在に形成した請求項１に記載のコンデンサマイクロホン。
【発明の詳細な説明】
【技術分野】
【０００１】
本発明は、固定極側に対しコンタクトスプリングを介してインピーダンス変換器の入力側端子であるゲート端子を電気的に接続させた構造を備えるコンデンサマイクロホンに関する技術である。
【背景技術】
【０００２】
コンデンサマイクロホンは、振動板と固定極とを対設して形成されるコンデンサ部の信号電圧化された電気容量変化を高インピーダンスで入力し、低インピーダンスで出力することのできるインピーダンス変換器を少なくとも備えて形成されている。
【０００３】
この場合、入力側端子としてゲート端子を備える電界効果トランジスタ（以下、「ＦＥＴ」という）は、インピーダンス変換器としてコンデンサマイクロホンに使用されている。
【０００４】
ＦＥＴには、下記特許文献１の図２に開示されているように、固定極との間に介装させたコンタクトスプリングのような中継部材にゲート端子を接触させて固定極側との導通を確保するようにしているものもある。また、このようなＦＥＴは、固定極側との間の導通を強固とすべく、固定極側となるコンタクトスプリングに対しゲート端子がはんだ付けされる場合もある。
【特許文献１】特開２００６−１５７３３２号公報
【０００５】
さらに、コンデンサマイクロホンのなかには、固定極を含むユニット部をマイクロホン本体部側から取り外して別のユニット部と交換することで、その指向性を変えることができるようにした構造を備えているものもある。
【０００６】
図５と図６とは、このようにマイクロホン本体部に対しユニット部を交換して使用できるように形成されているコンデンサマイクロホンの従来例を示す説明図である。
【０００７】
これらの図のうち、図５は、マイクロホン本体部からユニット部を取り外した状態を示す説明図であり、そのうちの（ａ）は正面視方向での端面図を、（ｂ）は右側面視方向での端面図をそれぞれ示す。また、図６は、マイクロホン本体部にユニット部を取り付けた状態を示す説明図であり、そのうちの（ａ）は正面視方向での端面図を、（ｂ）は右側面視方向での端面図をそれぞれ示す。
【０００８】
これらの図によれば、コンデンサマイクロホン１は、マイクロホン本体部２と、該マイクロホン本体部２に対し着脱自在に螺合配置されるユニット部９とで構成されている。
【０００９】
このうち、マイクロホン本体部２は、ユニット部９側との螺合を自在に頂端開口部２ａ側に配置されるカプラー３と、該カプラー３により位置固定されるプリント基板４とを少なくとも備えて形成されている。
【００１０】
該プリント基板４上には、本体部５ａ側から入力端子としてのゲート端子５ｂが引き出されたＦＥＴ５が搭載されている。また、ゲート端子５ｂは、ユニット部９が備える固定極９ｂ側との間で電気的接続をとるために、本体部５ａ上に配置されたコンタクトスプリング６にはんだ付けされている。
【００１１】
一方、ユニット部９は、カプラー３を介してマイクロホン本体部２側に螺合配置されるカバー体部９ａと、該カバー体部９ａ内に固定極９ｂを含んで位置固定されているユニット構成部材とを少なくとも備えている。
【００１２】
この場合、マイクロホン本体部２におけるＦＥＴ５の周辺領域には、カプラー３とプリント基板４とで仕切られた窪み空間７ができてしまい、該窪み空間７により空洞共振を発生させやすくなるという問題があった。
【００１３】
このため、窪み空間７内には、充填材として例えばシリコーンシーラント８を充填して塞ぐことで空洞共振の発生を防止する対策が講じられてきた。
必要があった。
【発明の開示】
【発明が解決しようとする課題】
【００１４】
しかし、窪み空間７内にシリコーンシーラント８を充填して塞ぐ手法を採用する場合には、硬化するまでの間、シリコーンシーラント８が流れ出さない方向にコンデンサマイクロホン１を保持し続けなければならないという作業上の煩雑さがあった。
【００１５】
また、マイクロホン本体部２が備えるＦＥＴ５のゲート端子５ｂとコンタクトスプリング６とは、単にはんだ付けして接続されているに過ぎなため、交換のためユニット部９が取り外されてマイクロホン本体部２から露出するコンタクトスプリング６の板ばね部６ｂが横方向からの外力を受けると簡単に変形して接触子としての役割を果たせなくなる不具合もあった。
【００１６】
本発明は、従来技術の上記課題に鑑み、コンタクトスプリングの板ばね部の変形を確実に阻止できるだけでなく、窪み空間に由来する空洞共振の発生をも阻止することがことができるようにしたコンデンサマイクロホンを提供することを目的としている。
【課題を解決するための手段】
【００１７】
本発明は、上記目的を達成すべくなされたものであり、電界効果トランジスタをインピーダンス変換器として搭載するプリント基板と、該プリント基板を位置固定するカプラーとを少なくとも備えるマイクロホン本体部と、前記インピーダンス変換器から引き出された入力側端子がコンタクトスプリングを介して電気的に接続される固定極を備え、前記カプラーを介して前記マイクロホン本体部に着脱自在に螺合配置されるユニット部とで構成されるコンデンサマイクロホンにおいて、前記カプラーと前記プリント基板とで仕切られて前記電界効果トランジスタの周辺領域に形成される前記マイクロホン本体部の窪み空間内には、前記コンタクトスプリングにおける板ばね部の横幅方向での動きを規制する絶縁性変形阻止体を配置したことを最も主要な特徴としている。
【００１８】
この場合、前記絶縁性変形阻止体は、コンタクトスプリングの前記板ばね部の撓曲を許し、かつ、外力による変形の阻止する障壁部を有し、該障壁部を介してマイクロホン本体部の前記窪み空間の閉塞を自在に形成するのが好ましい。
【発明の効果】
【００１９】
請求項１の発明によれば、コンタクトスプリングにおける板ばね部は、絶縁性変形阻止体を介して横幅方向への動きが規制されているので、横方向から外力を受けても横方向への変位を阻止して接触子としての役割を安定的に担わせ続けることができる。
【００２０】
請求項２の発明によれば、絶縁性変形阻止体は、マイクロホン本体部の窪み空間を閉塞することができるので、該窪み空間に由来する空洞共振の発生を確実に阻止することができる。
【発明を実施するための最良の形態】
【００２１】
図１と図２とは、本発明に係るコンデンサマイクロホンの一例を示す説明図である。これらの図のうち、図１は、マイクロホン本体部からユニット部を取り外した状態を示す説明図であり、そのうちの（ａ）は正面視方向での端面図を、（ｂ）は右側面視方向での端面図をそれぞれ示す。また、図２は、マイクロホン本体部にユニット部を取り付けた状態を示す説明図であり、そのうちの（ａ）は正面視方向での端面図を、（ｂ）は右側面視方向での端面図をそれぞれ示す。
【００２２】
これらの図によれば、コンデンサマイクロホン１１は、マイクロホン本体部１２と、該マイクロホン本体部１２に対し着脱自在に螺合配置されるユニット部３２とで構成されている。
【００２３】
このうち、筒状を呈するマイクロホン本体部１２は、その内部にプリント基板１６を水平方向に下支えすべく位置固定された支持筒部１４と、該支持筒部１４に支持されたプリント基板１６と、ユニット部３２側との螺合を自在に頂端開口部１３側に配置されてプリント基板１６をその上面１６ａ側にて位置固定するカプラー１９とを少なくとも備えている。
【００２４】
この場合、該プリント基板１６の上面には、ＦＥＴ１７が搭載されている。該ＦＥＴ１７は、図１からも明らかなように、本体部１７ａと、該本体部１７ａの側面側から引き出されてその上面側に折曲された入力側端子としてのゲート端子１７ｂと、同じく側面側から引き出されてプリント基板２２に対してはんだ付けされたソース端子１７ｃとドレイン端子１７ｄとを有している。
【００２５】
また、ＦＥＴ１７の本体部１７ａ上に配設されるコンタクトスプリング１８は、本体部１７ａを跨ぐように取り付けられる基台部１８ａと、該基台部１８ａの側縁側から折返し方向に上向きに延設された板ばね部１８ｂとで構成されており、該板ばね部１８ｂを介して後述する固定極３４側への電気的接続を自在に形成されている。
【００２６】
そして、ＦＥＴ１７におけるゲート端子１７ｂは、その先端部側がコンタクトスプリング１８における基台部１８ａにはんだ付けされている。
【００２７】
また、カプラー１９は、図３に示す詳細図からも明らかなよように、マイクロホン本体部１２の頂端開口部１３側に位置する内周面に刻入された雌ねじ部１５と、後述するユニット部３２がその内周面３４に備える雌ねじ部３５との螺合が自在な雄ねじ部１９ａをその外周面に備えて形成されている。なお、図中の符号Ｄは、ドライバーのための掛止溝を示す。
【００２８】
しかも、カプラー１９とプリント基板１６とで仕切られてＦＥＴ１７の周辺領域に形成される窪み空間２２内には、コンタクトスプリング１８における板ばね部１８ｂの横幅方向での動きを規制する絶縁性変形阻止体２３が配置されている。
【００２９】
図４は、絶縁性変形阻止体の詳細構造例を示す説明図であり、そのうちの（ａ）は平面図を、（ｂ）は（ａ）におけるＡ−Ａ線矢視方向での断面図を、（ｃ）は（ａ）におけるＢ−Ｂ線矢視方向での断面図をそれぞれ示す。
【００３０】
同図によれば、絶縁性変形阻止体２３は、コンタクトスプリング１８における板ばね部１８ｂの撓曲を許し、かつ、外力による変形の阻止する障壁部２４を有し、該障壁部２４を介してマイクロホン本体部１２の窪み空間２２の閉塞を自在に形成されている。
【００３１】
すなわち、絶縁性の高い適宜の樹脂を用いて形成される絶縁性変形阻止体２３は、カプラー１９が基部の内側に備える拡径部２０と係合する大径部２４ａと、上側の内側に備える縮径部２１と係合する小径部２４ｂとからなる障壁部２４を備えて形成されている。
【００３２】
しかも、絶縁性変形阻止体２３は、窪み空間２２内に配置された際にコンタクトスプリング１８における板ばね部１８ｂを図１および図２に示すように表出させることができる略矩形を呈する開口部２５を備えて形成されている。
【００３３】
該開口部２５は、板ばね部１８ｂの長さ方向を広幅部２５ａとし、板ばね部１８ｂの横幅方向を狭幅部２５ｂとすることで、板ばね部１８ｂの撓曲（上下方向）を許し、かつ、外力による横方向への変形を阻止することができるようになっている。
【００３４】
一方、ユニット部３２は、カプラー１９を介してマイクロホン本体部１２側に螺合配置されるカバー体部３３と、該カバー体部３３内に固定極３６を含んで位置固定されているユニット構成部材とを少なくとも備えて形成されている。
【００３５】
また、カバー体部３３は、カプラー１９が備える雄ねじ部１９ａと螺合する雌ねじ部３５をその内周面３４に備えて形成されている。
【００３６】
次に、上記構成からなる本発明の作用・効果を説明すれば、図２に示すようにマイクロホン本体部１２にカバー体部３３を螺着させることでコンデンサマイクロホン１１として使用することができる。
【００３７】
また、指向性を変える必要が生じた場合には、マイクロホン本体部１２側からユニット部３２取り外し、交換した別のユニット部３２をマイクロホン本体部１２側に螺着することで、再びコンデンサマイクロホン１１として使用することができる。
【００３８】
しかも、マイクロホン本体部１２側からユニット部３２取り外した際には、マイクロホン本体部１２の頂端開口部１３側からコンタクトスプリング１８における板ばね部１８ｂが表出されてしまうものの、絶縁性変形阻止体２３を介して横幅方向への動きを規制することができるので、仮に横方向から外力を受けることがあっても横方向への変位を阻止して接触子としての役割を安定的に担わせ続けることができる。
【００３９】
また、絶縁性変形阻止体２３は、マイクロホン本体部１２の窪み空間２２を閉塞することもできるので、該窪み空間２２に由来する空洞共振の発生を確実に阻止することができることになる。
【図面の簡単な説明】
【００４０】
【図１】本発明の一例をマイクロホン本体部からユニット部を取り外した状態で示す説明図であり、そのうちの（ａ）は正面視方向での端面図を、（ｂ）は右側面視方向での端面図をそれぞれ示す。
【図２】本発明の一例をマイクロホン本体部にユニット部を取り付けた状態で示す説明図であり、そのうちの（ａ）は正面視方向での端面図を、（ｂ）は右側面視方向での端面図をそれぞれ示す。
【図３】マイクロホン本体部の頂端開口部側に配置されるカプラーの詳細構造例を示す説明図であり、そのうちの（ａ）は平面図を、（ｂ）は（ａ）におけるＡ−Ａ線矢視方向での断面図をそれぞれ示す。
【図４】絶縁性変形阻止体の詳細構造例を示す説明図であり、そのうちの（ａ）は平面図を、（ｂ）は（ａ）におけるＡ−Ａ線矢視方向での断面図を、（ｃ）はＢ−Ｂ線矢視方向での断面図をそれぞれ示す。
【図５】マイクロホン本体に対しユニット部を交換して使用できるように形成されているコンデンサマイクロホンの従来例を示す説明図であり、そのうちの（ａ）は、マイクロホン本体部からユニット部を取り外した状態での正面視方向での端面図を、（ｂ）は右側面視方向での端面図をそれぞれ示す。
【図６】図５に示す従来例においてマイクロホン本体部にユニット部を取り付けた状態で示す説明図であり、そのうちの（ａ）は正面視方向での端面図を、（ｂ）は右側面視方向での端面図をそれぞれ示す。
【符号の説明】
【００４１】
１１  コンデンサマイクロホン
１２  マイクロホン本体部
１３  頂端開口部
１４  支持筒部
１５  雌ねじ部
１６  プリント基板
１７  電界効果トランジスタ（）
１７ａ  本体部
１７ｂ  ゲート端子
１７ｃ  ソース端子
１７  ドレイン端子
１８  コンタクトスプリング
１８ａ  基台部
１８ｂ  板ばね部
１９  カプラー
１９ａ  雄ねじ部
２０  拡径部
２１  縮径部
２２  窪み空間
２３  絶縁性変形阻止体
２４障壁部
２４ａ  大径部
２４ｂ  小径部
２５  開口部
２５ａ  広幅部
２５ｂ  狭幅部
３２  ユニット部
３３  カバー体部
３４  内周面
３５  雌ねじ部
３６  固定極
Ｄ  掛止溝
【図１】
2008219629.tif 000003
【図２】
2008219629.tif 000004
【図３】
2008219629.tif 000005
【図４】
2008219629.tif 000006
【図５】
2008219629.tif 000007
【図６】
2008219629.tif 000008